(57)【要約】【課題】カートリッジを目立たない場所に配置して流し台の見栄えを改善するとともに、流し台の収納空間を減少させず、かつカートリッジの交換操作を楽な姿勢で容易にできるようにすることである。【解決手段】本発明では、流し台のシンク下の収納部分に水道水を浄化するカートリッジを収納した浄水器であって、この浄水器は、前記収納部分の引き出し棚又は開閉扉への前記カートリッジの固定手段と、前記カートリッジによって浄化された浄水を吐水手段へと供給する配管手段とから成り、前記配管手段は前記引き出し棚又は開閉扉の前後への移動による前記カートリッジの移動に追随する可動性を有するとともに、前記カートリッジと前記配管手段とが着脱可能に構成した。【選択図】  図１
2006104670.tif 000002
【特許請求の範囲】
【請求項１】
流し台のシンク下の収納部分に水道水を浄化するカートリッジを収納した浄水器であって、この浄水器は、前記収納部分の引き出し棚又は開閉扉への前記カートリッジの固定手段と、水道水を前記カートリッジに供給し前記カートリッジによって浄化された浄水を吐水手段へと供給する配管手段とから成り、前記配管手段は前記引き出し棚又は開閉扉の前後への移動による前記カートリッジの移動に追随する可動性を有するとともに、前記カートリッジと前記配管手段とが着脱可能に構成されていることを特徴とする浄水器。
【請求項２】
前記配管手段が伸縮自在または屈曲自在であるか、または可撓性を有することによって可動性を有することを特徴とする請求項１に記載の浄水器。
【請求項３】
前記配管手段が水平方向の可動性を有するよう構成されたことを特徴とする請求項１又は請求項２に記載の浄水器。
【請求項４】
前記配管手段の一部が、前記収納部分の内壁面又は収納部分と一体で形成された部材に配管固定手段で固定されていることを特徴とする請求項１乃至請求項３何れか一項に記載の浄水器。
【請求項５】
前記配管固定手段は前記カートリッジの入口側と連通する原水水路側継ぎ手とカートリッジの出口側と連通する浄水路側継ぎ手を別体で構成するとともに、それらの軸間距離をカートリッジの入口側継ぎ手部および出口側継ぎ手部との軸間距離と同じになるよう構成したことを特徴とする請求項４記載の浄水器。
【請求項６】
前記配管手段において、前記原水水路側継ぎ手と前記浄水路側継ぎ手とを一体に回動するように構成するとともに、前記カートリッジの入口側継ぎ手部および出口側継ぎ手部も一体に回動するよう構成したことを特徴とする請求項５記載の浄水器。
【請求項７】
前記配管手段において、前記原水水路側継ぎ手と前記浄水路側継ぎ手と前記カートリッジの入口側継ぎ手部と出口側継ぎ手部とを球面継ぎ手構造としたことを特徴とする請求項５または６に記載の浄水器。
【請求項８】
前記配管手段が、前記配管固定手段と前記カートリッジとの間の配管部材の一部を滑車式部材で支持する配管支持手段を備えたことを特徴とする請求項１乃至請求項４何れか一項に記載の浄水器。
【請求項９】
前記カートリッジを前記引き出し棚後方の配管スペースに配置するとともに前記固定手段により前記カートリッジを引き出し棚背面の後方に固定したことを特徴とする請求項１乃至請求項８何れか一項に記載の浄水器。
【発明の詳細な説明】
【技術分野】
【０００１】
本発明は、浄水器に係り、特にビルトイン型、つまり流し台のシンク下にカートリッジを設置する場合に好適な浄水器に関する。 
【背景技術】
【０００２】
従来のビルトイン型浄水器は、シンク下の収納部分が引き出し式の流し台に設置する場合、引き出し棚奥の配管スペース部分にカートリッジを設置していた（例えば、特許文献１参照）。 
このような場合において、カートリッジを取り替えるためには、流し台のシンク下の引き出し棚を外して、さらにシンク下にもぐり込んでカートリッジを取り替える必要があり、不自然な姿勢でカートリッジの接続部をはずした後、新しいカートリッジを接続し、水の入った重い旧カートリッジを持ち出さねばならないという問題があった。
【０００３】
また、このような問題点を解決するため、カートリッジをシンク後方のバックガードの上縁に水栓とともにカートリッジを配置したものがある（例えば、特許文献２参照）。
しかし、この場合もバックガードの手前に飛び出した形で設置されるため、見栄えが悪く、圧迫感が生じるという問題があった。 
【０００４】
【特許文献１】特開２００３−２１３７５０号公報（第１−２頁、第１、２図）
【特許文献２】特開２００３−１２５８７０号公報（第１−２頁、第１、２、３、６、９ａ、１０図）
【発明の開示】
【発明が解決しようとする課題】
【０００５】
本発明は、上記問題を解決するためになされたもので、本発明の課題は、カートリッジを目立たない場所に配置して流し台の見栄えを改善するとともに、流し台の収納空間を減少させず、かつカートリッジの交換操作を楽な姿勢で容易にできるようにすることである。
【課題を解決するための手段】
【０００６】
上記目的を達成するために請求項１記載の発明は、流し台のシンク下の収納部分に水道水を浄化するカートリッジを収納した浄水器であって、この浄水器は、前記収納部分の引き出し棚又は開閉扉への前記カートリッジの固定手段と、水道水を前記カートリッジに供給し前記カートリッジによって浄化された浄水を吐水手段へと供給する配管手段とから成り、前記配管手段は前記引き出し棚又は開閉扉の前後への移動による前記カートリッジの移動に追随する可動性を有するとともに、前記カートリッジと前記配管手段とが着脱可能に構成した。
このため、収納部分を開いたときにカートリッジを手元まで引き寄せてカートリッジの交換操作を楽な姿勢で容易に行うことができる。また、カートリッジをシンク下の空間に収納するため、見栄えを改善し、シンク上方の圧迫感もなくすことができる。
【０００７】
請求項２記載の発明は、前記配管手段が伸縮自在または屈曲自在であるか、または可撓性を有するよう構成した。
このため、配管手段のホース部が硬質な材料の場合にはカールを施したり、回転自在の継ぎ手との組み合わせで伸縮自在または屈曲自在にすることにより、また軟質の材料の場合には可撓性を持たせることにより、可動性を持たせることができ、収納部分の開閉操作力を小さくすることができる。
【０００８】
請求項３記載の発明は、前記配管手段が水平方向の可動性を有するよう構成した。
このため、配管部材が垂直方向に可動すると収納部分の開閉の際、配管部材や継ぎ手が上下に移動する分だけ位置エネルギーの変動が生じるため開くときと閉めるときの操作力が変動するが、水平方向に伸縮または屈曲する場合にはそのような不都合がない。
【０００９】
請求項４記載の発明は、前記配管手段の一部を、前記収納部分の内壁面又は収納部分と一体で形成された部材に配管固定手段で固定した。
このため、収納部分の開閉の際、配管手段が流し台内の部材と干渉して操作性を悪くしたり、くびれて流量低下を起こすことがなくなる。さらに、配管材料の自重による変形を防止するとともに、前記引き出し棚の操作性を向上させることができる。
【００１０】
請求項５記載の発明は、前記配管固定手段は前記カートリッジの入口側と連通する原水水路側継ぎ手とカートリッジの出口側と連通する浄水路側継ぎ手を別体で構成するとともに、それらの軸間距離をカートリッジの入口側継ぎ手部および出口側継ぎ手部との軸間距離と同じになるよう構成した。
このため、配管部が平行四辺形の形で屈曲するので前記引き出し棚の収納操作時に配管が滑らかに無理なく動くようにできる。
【００１１】
請求項６記載の発明は、前記配管手段において、前記原水水路側継ぎ手と前記浄水路側継ぎ手とを一体に回動するように構成するとともに、前記カートリッジの入口側継ぎ手部および出口側継ぎ手部も一体に回動するよう構成した。
このため、配管継ぎ手部が一体で回動するため、前記収納部分の開閉操作時に請求項５に示す構成よりさらに配管が滑らかに無理なく動くようにできる。
【００１２】
請求項７記載の発明は、前記配管手段において、前記原水水路側継ぎ手と前記浄水路側継ぎ手と前記カートリッジの入口側継ぎ手部と出口側継ぎ手部とを球面継ぎ手構造とした。
このため、浄水器水栓側の配管継ぎ手部分とカートリッジ側の配管継ぎ手部分が水平に位置していない場合やホース部分の自重によるたわみが生じる場合でも継ぎ手との接合部でホースが折れ曲がることがなくなる。
【００１３】
請求項８記載の発明は、前記配管手段が、前記配管固定手段と前記カートリッジとの間の配管部材の一部を滑車式部材で支持する配管支持手段を備えた。
このため、ホースが折れることなく滑車の溝に沿って滑らかに屈曲するため、流路面積の低下がなく、流量低下をきたすことがない。
【００１４】
請求項９記載の発明は、流し台のシンク下の収納部分が前記引き出し棚式の流し台において、前記固定手段により前記カートリッジを引き出し棚後方の配管スペースに配置するとともに前記カートリッジを引き出し棚背面の後方に固定した。
このため、シンク下の引き出し棚後方のデッドスペースである配管スペースを有効活用して、引き出し棚の収納空間を減少させないで済ませることができる。
【発明の効果】
【００１５】
本発明によればカートリッジを目立たない場所に配置して見栄えを改善するとともに、引き出し棚の収納空間を減少させず、またカートリッジの交換操作を楽な姿勢で容易にできるという効果がある。
【発明を実施するための最良の形態】
【００１６】
以下、本発明の実施例を図面を用いて説明する。
【実施例】
【００１７】
図１および図２は本発明の第１実施例の斜視図である。
図１は引き出し式の流し台１の下側の引き出し棚１４の背面１４ａにカートリッジ１０を設置し、下側の引き出し棚１４が収納されている状態を示す。
図２は図１において、下側の引き出し棚１４が引き出された状態を示す。
これらの図においてはいずれも、シンク下の収納構造が引き出し式の流し台１にシングルレバー混合栓２が設置され、その水側の止水栓３から吐水手段である浄水器水栓４へ原水が分岐される。
【００１８】
浄水器水栓４のハンドル４ａを開くと、原水が原水路４ｂを通り、流し台１の背板１０１に配管固定手段として設けられた固定金具５で回動自由に半固定された同軸式の自在継ぎ手６の原水路６ａ、原水ホース部７、中間の自在継ぎ手８の原水路８ａ、原水ホース部９、カートリッジ１０の同軸継ぎ手１１の原水路１１ａを経由してカートリッジ１０に供給され、カートリッジ１０でろ過された浄水が前記同軸継ぎ手１１の浄水路１１ｂから浄水ホース部１２、中間の自在継ぎ手８の浄水路８ｂ、浄水ホース部１３、同軸式の自在継ぎ手６の浄水路６ｂ、浄水器水栓４の浄水路４ｃの順に通過して浄水器水栓４の吐水口４ｄより吐水される。
このように、回転自在の継ぎ手との組み合わせで屈曲自在にすることにより、可動性を持たせることができ、収納部分の開閉操作力を小さくすることができる。
【００１９】
図３および図４に本発明の第１実施例の側面図を示す。
図３は引き出し式流し台１の下側の引き出し棚１４背面１４ａにカートリッジ１０を設置し、下側の引き出し棚１４が収納されている状態を示す。
図４は図３において、下側の引き出し棚１４が引き出された状態を示す。
図３に示す通り、カートリッジ１０は下側の引き出し棚１４の背面１４ａの後方で配管スペース１５の上方のデッドスペース１９に配置されるようカートリッジ固定金具１８によって固定されている。
このため、シンク下の引き出し棚後方のデッドスペースである配管スペースを有効活用して、引き出し棚の収納空間を減少させないで済ませることができる。また、固定金具５は流し台１の背板１０１に木ねじで固定されている。配管手段はシンク１０２、トラップ１０３、排水管１０４、上側の引き出し棚１０５に干渉しないよう配置され、引き出し棚１４と上側の引き出し棚１０５の間隙において移動するよう構成されている。
従って、収納部分の開閉の際、配管手段が流し台内の部材と干渉して操作性を悪くしたり、くびれて流量低下を起こすことがない。
【００２０】
図４に示す通り、配管手段である自在継ぎ手６、原水ホース部７、中間の自在継ぎ手８、原水ホース部９、カートリッジ１０の同軸継ぎ手１１、浄水ホース部１２、浄水ホース部１３は引き出し棚１４の開閉に伴い水平に移動するよう構成されている。
これにより、配管部材が垂直方向に可動すると収納部分の開閉の際、配管部材や継ぎ手が上下に移動する分だけ位置エネルギーの変動が生じるため、開くときと閉めるときの操作力が変動するが、本発明では水平方向に屈曲するためそのような不都合がない。
【００２１】
図５は配管手段の継ぎ手部６、８、１１の断面図である。継ぎ手部６、８、１１いずれもは同軸となっており、原水と浄水をケース６１、内筒６２、接続部材６３、クリップ６４、Ｏリング６５、６６、６７、６８で区分している。なお、ケース６１は上下共通に使用し、固定金具５に取り付けられた自在継ぎ手６および前記中間の自在継ぎ手８も共通に使用するよう構成されている。
カートリッジ１０と接続する同軸継ぎ手１１はカートリッジ１０の上ケース７４に形成された接続部７４ｉ、内筒７２、カートリッジ１０の下ケース７３のシール部７３ｃ、およびＯリング７５、７６、７７により、原水と浄水を区分している。
原水は原水ホース部９、自在継ぎ手１１の原水入口１１ｅから自在継ぎ手１１の原水入口１１ｅ内部の原水路１１ａ、シール部７３ｃ、カートリッジ１０の中のろ材である活性炭部１０ｄと中空糸膜部１０ｅを経由して浄化されてから内筒７２の外側の浄水路１１ｂ、浄水出口１１ｆを通り浄水ホース部１２に至る。
前記カートリッジ１０と前述の浄水器水栓４の原水路４ｂおよび浄水路４ｃとの間の配管手段において、前記カートリッジ１０の取り替えを目的として、前記同軸継ぎ手１１を着脱可能とした。
【００２２】
図６にカートリッジ１０と配管手段の着脱構造を示す斜視図を示す。
この図６において、前記カートリッジ１０には前記同軸式回転継ぎ手１１の脱落を防止する爪１０ａが同軸式回転継ぎ手１１の鍔部１１ｃと嵌合するとともに、双方に切り欠き１０ｂおよび１１ｄが形成されており、引き出し棚１４の開閉操作時には脱落しない位置で着脱できるよう配置されている。
従って、前記同軸式回転継ぎ手１１は通常の引き出し棚開閉操作時には脱落せず、カートリッジ１０を交換する際、同軸式回転継ぎ手１１の鍔部１１ｃを前記カートリッジ１０の切り欠き１０ｂと相対する位置まで回転させると着脱することができる。
自在継ぎ手６側の原水ホース部７、浄水ホース部１３は配管支持手段１６のホース保持部１６ａにおいて保持され、アーム１６ｂの他端１６ｃにおいて固定金具５の支点部５ｂに支持される。
また、カートリッジ１０側の原水ホース部９、浄水ホース部１２は配管支持手段１７のホース保持部１７ａにおいて保持され、アーム１７ｂの他端１６ｃにおいてカートリッジ１０の支点部１０ｃに支持される。
このため、配管支持手段１６、１７とがお互い水平に回転するため、配管手段は水平に屈曲する（図２および図５参照）。
【００２３】
図７（ａ）は、図２および図５における配管支持手段１６のホース保持部１６ａをホース断面方向から見た詳細図であり、自在継ぎ手６側の原水ホース部７、浄水ホース部１３は配管支持手段１６のホース保持部１６ａにおいて保持されている。
同様に、配管支持手段１７はそのアーム１７ｂの他端１７ｃにおいてカートリッジの支点部１０ｃによって支持されている。
このため、配管手段は水平に屈曲し、配管材料の自重による変形を防止するとともに、前記引き出し棚１４の操作性を向上させることができる。
【００２４】
以上の通り、前記配管手段は前記引き出し棚１４の上方にある引き出し棚１０５との間隙において、水平方向に屈曲するよう構成され、引き出し棚１４が引き出された時カートリッジ１０は引き出し開口部近傍まで引き出されるため、カートリッジ固定金具１８による固定を解除して、収納部分を開いたときにカートリッジを手元まで引き寄せてカートリッジの交換操作を楽な姿勢で容易に行うことができる。
また、カートリッジをシンク下の空間に収納するため、見栄えを改善し、シンク上方の圧迫感もなくすことができる。
【００２５】
図８は前記第１実施例の図５において、配管手段の継ぎ手部分を同軸から２軸に変更した第２の実施例を示している。
なお、符号は最後に「’」を付加、または３〜４桁とし、第１の実施例と対応させ、構造については第１の実施例と同様であるため、説明を省略する。
この第２実施例では、さらにホース７’、９’、１２’、１３’の自重によるたわみに追従し、ホース７’、９’、１２’、１３’が接続部分で折れ曲がらないよう原水路１１ａ’、浄水路１１ｂ’を球面継ぎ手８１とした。球面継ぎ手８１は球面部８１ａに球面パッキン８２が接触し、外れ防止のリング８３とナット８４にてシールされている。本実施例において、原水側と浄水側の球面継ぎ手はいずれも同じ構造となっている。
このため、浄水器水栓側の配管継ぎ手部分とカートリッジ側の配管継ぎ手部分が水平に位置していない場合やホース部分の自重によるたわみが生じる場合でも継ぎ手との接合部でホースが折れ曲がることがなくなる。
また、原水側の継ぎ手６０１、８０１と浄水側の継ぎ手６０２、８０２の軸間距離Ｐａ、Ｐｂをカートリッジ１０の原水側継ぎ手部１１０１と浄水側継ぎ手部１１０２の軸間距離Ｐｃと同じにしているため、配管手段はその継ぎ手部分とホース部分とが収納部分の開閉操作に伴って平行四辺形状に無理なく変形し同軸継ぎ手と同様の機能を発揮することができる。
【００２６】
また、図７（ｂ）は図面８における配管支持手段１６’のホース保持部１６ａ’をホース断面方向から見た詳細図であり、自在継ぎ手６０１側の原水ホース部７’、浄水ホース部１３’は配管支持手段１６’のホース保持部１６ａ’において保持されている。
同様に、図示しない配管支持手段１７’はそのアーム１７ｂ’の他端１７ｃ’においてカートリッジの支点部１０ｃ’によって支持されている。このため、配管手段は水平に屈曲する。
従って、第１実施例と同様、配管材料の自重による変形を防止するとともに、前記引き出し棚の操作性を向上させることができるとともに、配管部材が垂直方向に可動すると収納部分の開閉の際、配管部材や継ぎ手が上下に移動する分だけ位置エネルギーの変動が生じるため開くときと閉めるときの操作力が変動するが、水平方向屈曲するため、そのような不都合がない。
【００２７】
図９、１０は第３の実施例を示す上面図である。
図９は引き出し式流し台１の下側の引き出し棚１４の背面１４ａにカートリッジ１０を設置し、下側の引き出し棚１４が収納されている状態を示す。
図１０は図９において、下側の引き出し棚が引き出された状態を示す。
第３実施例は第１実施例の配管手段のうち、カートリッジ１０の継ぎ手部分１１のみを残し、残りの継ぎ手をなくし、可撓性のホース３３、３４とホースを支持する滑車３５を備えた配管支持手段３７で構成したものである。
第１実施例における固定手段５に相当する部分を図１１に上面図として、図１２に正面図として示す。ねじれの位置にある２つの軸をもつホースガイド３２で形成し、ホース固定金具３１で挟み込むことにより原水ホース３３および浄水ホース３４を固定した構造になっている。
このため、収納部分の開閉の際、配管手段が流し台内の部材と干渉して操作性を悪くしたり、くびれて流量低下を起こすことがなくなる。
【００２８】
中間の継ぎ手８に相当する部分は図１３、１４に上面図、断面図として示すように、配管支持手段の滑車３５と可撓性のホース３３、３４で構成したため、同様の機能を発揮することができる。
従って、ホースが折れることなく滑車の溝に沿って滑らかに屈曲するため、流路面積の低下がなく、流量低下をきたすことがない。
また、軟質の材料で可撓性を持たせることにより、可動性を持たせることができ、収納部分の開閉操作力を小さくすることができる。
さらに、配管手段を水平に移動させることができるので、配管部材が垂直方向に可動すると収納部分の開閉の際、配管部材や継ぎ手が上下に移動する分だけ位置エネルギーの変動が生じるため開くときと閉めるときの操作力が変動するが、水平方向に屈曲する場合にはそのような不都合がない。
引き出し棚１４の引き出し操作に伴い、前記滑車３５の浄水器水栓４側のホース長さとカートリッジ１０側のホース長さとの割合が若干変動するが、この滑車機構によりホースに無理な外力がかかることがない。
また、前記滑車３５にはガイドローラー３６を設けているため、ホース３３、３４にたるみが生じても滑車３５の外側にホース３３、３４が外れることはない。
カートリッジ１０の取り替え方法は第１の実施例、第２実施例と同様である。
【００２９】
本発明においては、以上のように構成したため、収納部分を開いたときにカートリッジを手元まで引き寄せてカートリッジの交換操作を楽な姿勢で容易に行うことができる。また、カートリッジをシンク下の空間に収納するため、見栄えを改善し、シンク上方の圧迫感もなくすことができる。
また、シンク下の引き出し棚後方のデッドスペースである配管スペースを有効活用して、引き出し棚の収納空間を減少させないで済ませることができる。さらにこの第３の実施例では、継ぎ手の数を減らしてコストを安くできるとともに、浄水器水栓の吐水口からの一般細菌の配管内の繁殖のため配管を取り替える際にもホースを取り替えるだけで済み、経済的である。
なお、本実施例においては、引出し式の流し台について説明を行ったが、扉式の流し台に本発明を適用しても同様の効果を奏することは云うまでもないことである。
【図面の簡単な説明】
【００３０】
【図１】本発明の第１実施例における引き出し棚収納状態の斜視図である。
【図２】本発明の第１実施例における引き出し棚引き出し状態の斜視図である。
【図３】本発明の第１実施例における引き出し棚収納状態の側面図を示す。
【図４】本発明の第１実施例における引き出し棚引き出し状態の側面図を示す。
【図５】本発明の第１実施例における配管手段の継ぎ手部断面図である。
【図６】本発明の第１実施例におけるカートリッジと配管手段の着脱構造を示す斜視図である。
【図７】（ａ）は本発明の第１実施例における配管支持手段の配管支持部を示す。（ｂ）は本発明の第２実施例における配管支持手段の配管支持部を示す。
【図８】本発明の第２実施例の断面図を示す。
【図９】本発明の第３実施例における引き出し棚収納状態の上面図を示す。
【図１０】本発明の第３実施例における引き出し棚引き出し状態の上面図を示す。
【図１１】本発明の第３実施例における配管固定手段の上面図を示す。
【図１２】本発明の第３実施例における配管固定手段の正面図を示す。
【図１３】本発明の第３実施例における配管支持手段の上面図を示す。
【図１４】本発明の第３実施例における配管支持手段の断面図を示す。
【符号の説明】
【００３１】
１…流し台
２…シングルレバー混合栓
３…止水栓
４…浄水器水栓
４ａ…浄水器水栓４のハンドル
４ｂ…浄水器水栓４の原水路
４ｃ…浄水器水栓４の浄水路
４ｄ…浄水器水栓４の吐水口
５…固定金具
５ｂ…固定金具５の支点部
６…同軸式の自在継ぎ手
６ａ…原水路
６ｂ…同軸式の自在継ぎ手６の浄水路
７…原水ホース部
８…中間の自在継ぎ手
８ａ…中間の自在継ぎ手８の原水路
８ｂ…中間の自在継ぎ手８の浄水路
９…原水ホース部
１０…カートリッジ
１０ａ…爪
１０ｂ…切り欠き
１０ｃ…支点部
１１…同軸継ぎ手
１１ａ…原水路
１１ｂ…浄水路
１１ｃ…鍔部
１１ｄ…切り欠き
１１ｅ…原水入口
１１ｆ…浄水出口
１１ａ’…原水路
１１ｂ’…浄水路
１２…浄水ホース部
１３…浄水ホース部
１４…下側の引き出し棚
１４ａ…下側の引き出し棚の背面
１５…配管スペース
１６…配管支持手段
１６ａ…ホース保持部
１６ｂ…アーム
１６ｃ…他端
１７…配管支持手段
１８…カートリッジ固定金具
１９…デッドスペース
３２…ホースガイド
３３…可撓性のホース
３４…可撓性のホース
３５…ホースを支持する滑車
３６…ガイドローラー
３７…配管支持手段
６１…ケース
６２…内筒
６３…接続部材
６４…クリップ
６５…Ｏリング
６６…Ｏリング
６７…Ｏリング
６８…Ｏリング
７２…内筒
７３…下ケース
７３ｃ…下ケース７３のシール部
７４…上ケース
７４ｉ…接続部
７５…Ｏリング
７６…Ｏリング
７７…Ｏリング
８１…球面継ぎ手
８１ａ…球面部
８２…球面パッキン
８３…外れ防止のリング
８４…ナット
１０１…流し台の背板
１０２…シンク
１０３…トラップ
１０４…排水管
１０５…上側の引き出し棚
６０１…原水側の継ぎ手
６０２…浄水側の継ぎ手
８０１…原水側の継ぎ手
８０２…浄水側の継ぎ手、
１１０１…原水側継ぎ手部
１１０２…浄水側継ぎ手部
【図１】
2006104670.tif 000003
【図２】
2006104670.tif 000004
【図３】
2006104670.tif 000005
【図４】
2006104670.tif 000006
【図５】
2006104670.tif 000007
【図６】
2006104670.tif 000008
【図７】
2006104670.tif 000009
【図８】
2006104670.tif 000010
【図９】
2006104670.tif 000011
【図１０】
2006104670.tif 000012
【図１１】
2006104670.tif 000013
【図１２】
2006104670.tif 000014
【図１３】
2006104670.tif 000015
【図１４】
2006104670.tif 000016